(57)【要約】【課題】同軸ケーブルの内部導体が断線し、柱上変圧器の接続端子内に断線同軸ケーブルの内部導体の一部が残存している場合において、その接続端子を介して柱上変圧器と同軸ケーブルとを容易に接続することができる同軸ケーブル用コネクタを提供する。【解決手段】同軸ケーブル端末に接続された棒状の中心導体１０と、前記中心導体１０を内部に収容し、先端部にスリットが設けられると共に先端部側外面にネジ部２５が形成された概略筒状のコネクタ本体２０と、前記ネジ部２５に螺合するナット部材３０とを具備し、前記ナット部材３０による前記ネジ部２５の締め付け力によって、断線同軸ケーブルの内部導体１１０に前記中心導体１０が接触した状態で、前記コネクタ本体２０の先端部が前記接続端子を圧接し、前記コネクタ本体２０を前記接続端子に固定する。【選択図】図２
2007227267.tif 000002
【特許請求の範囲】
【請求項１】
柱上変圧器に設けられて開口部又は内部に断線した断線同軸ケーブルの内部導体が残存する有底筒状の接続端子と、同軸ケーブル端末とを接続する同軸ケーブル用コネクタであって、
前記同軸ケーブル端末に接続された棒状の中心導体と、
前記中心導体を内部に収容し、先端部にスリットが設けられると共に先端部側外面にネジ部が形成された概略筒状のコネクタ本体と、
前記ネジ部に螺合するナット部材とを具備し、
前記ナット部材による前記ネジ部の締め付け力によって、前記断線同軸ケーブルの内部導体に前記中心導体が接触した状態で、前記コネクタ本体の先端部が前記接続端子を圧接し、前記コネクタ本体を前記接続端子に固定することを特徴とする同軸ケーブル用コネクタ。
【請求項２】
請求項１に記載の同軸ケーブル用コネクタにおいて、
前記コネクタ本体は、先端部側に向かって内径が漸大することを特徴とする同軸ケーブル用コネクタ。
【請求項３】
請求項１又は２に記載の同軸ケーブル用コネクタにおいて、
前記ナット部材に取付けられて前記コネクタ本体を覆うように前記同軸ケーブル側方向に延設された筒状の絶縁カバーをさらに具備することを特徴とする同軸ケーブル用コネクタ。
【請求項４】
請求項１〜３の何れかに記載の同軸ケーブル用コネクタにおいて、
前記中心導体の先端部が針状に形成されていることを特徴とする同軸ケーブル用コネクタ。
【請求項５】
請求項１〜４の何れかに記載の同軸ケーブル用コネクタが端末に取付けられた同軸ケーブル。
【請求項６】
請求項１〜４の何れかに記載の同軸ケーブル用コネクタが端末に取付けられた電線接続用クランプ。
【発明の詳細な説明】
【技術分野】
【０００１】
本発明は、同軸ケーブル用コネクタに関し、特に柱上変圧器と同軸ケーブルとを容易に接続することができる同軸ケーブル用コネクタ及びその同軸ケーブル用コネクタを備えた同軸ケーブル並びに電線接続用クランプに関する。
【背景技術】
【０００２】
一般に、電力会社は、変電所から各電柱までを６．６ｋＶの高圧線によって配電し、柱上変圧器によって、１００Ｖ／２００Ｖの低圧に降圧してユーザに配電している。
【０００３】
図６に、一般的な柱上変圧器の概略斜視図を示す。図６に示すように、柱上変圧器５００は高圧線６１０から高圧で供給される電力を降圧して、３本の低圧線６２０に供給している。これらの低圧線６２０は、図示しない内部導体とその内部導体を被覆した絶縁体とから構成される同軸ケーブルからなり、柱上変圧器５００の接続部５１０に設けられた接続端子５５０を介して柱上変圧器５００に接続されるようになっている。具体的には、以下に説明するようにして、低圧線６２０と接続部５１０とが接続されている。
【０００４】
図７は図６に示す部分Ｘの拡大図を示し、図８は図７に示す低圧線６２０と接続部５１０とが接続されている部分の縦方向の断面図である。なお、図８では、左側が図７の上方に、右側が図７の下方に該当する。図８に示すように、接続端子５５０は有底筒状に形成されており、低圧線６２０の端末の内部導体６２１を内部に収容するようにして柱上変圧器５００と低圧線６２０とを接続している。
【０００５】
しかしながら、このようにして柱上変圧器５００と低圧線６２０とを接続しているので、風などの影響によって低圧線６２０が揺動し、図９及び図１０に示すように接続端子５５０の開口部５５１において、又は図示しないが接続端子５５０の内部において、低圧線６２０の内部導体６２１が断線してしまうことがあった。
【０００６】
そして、このような断線が発生した場合には、柱上変圧器５００と低圧線６２０とを早急に接続する必要があるので、従来から、図１１に示すように、柱上変圧器５００の蓋の隙間から低圧線６２０を導入して接続端子５５０を介することなく、柱上変圧器５００と低圧線６２０とを接続する方法が採られていた。
【０００７】
一方、同軸ケーブル用コネクタとして、近年、様々な機能を有するものが提案されている（例えば特許文献１参照）。
【０００８】
【特許文献１】特開２００５−２７６８２５号公報
【発明の開示】
【発明が解決しようとする課題】
【０００９】
しかしながら、上述したような従来の方法では、柱上変圧器の蓋を開ける必要があるため、雨天時において作業を行うことが困難であると共に、容易に低圧線と柱上変圧器とを接続することができないという問題があった。
【００１０】
なお、近年提案されている同軸ケーブル用コネクタにおいても、この問題は解決されていない。
【００１１】
本発明は、上述した事情に鑑み、同軸ケーブルの内部導体が断線し、柱上変圧器の接続端子内に断線同軸ケーブルの内部導体の一部が残存している場合において、その接続端子を介して柱上変圧器と同軸ケーブルとを容易に接続することができる同軸ケーブル用コネクタを提供することを目的とする。
【課題を解決するための手段】
【００１２】
上記課題を解決する本発明の第１の態様は、柱上変圧器に設けられて開口部又は内部に断線した断線同軸ケーブルの内部導体が残存する有底筒状の接続端子と、同軸ケーブル端末とを接続する同軸ケーブル用コネクタであって、前記同軸ケーブル端末に接続された棒状の中心導体と、前記中心導体を内部に収容し、先端部にスリットが設けられると共に先端部側外面にネジ部が形成された概略筒状のコネクタ本体と、前記ネジ部に螺合するナット部材とを具備し、前記ナット部材による前記ネジ部の締め付け力によって、前記断線同軸ケーブルの内部導体に前記中心導体が接触した状態で、前記コネクタ本体の先端部が前記接続端子を圧接し、前記コネクタ本体を前記接続端子に固定することを特徴とする同軸ケーブル用コネクタにある。
【００１３】
かかる第１の態様に記載の同軸ケーブル用コネクタでは、同軸ケーブルの内部導体が断線し、接続端子内に断線同軸ケーブルの内部導体の一部が残存している場合において、その接続端子を介して柱上変圧器と同軸ケーブルとを容易に接続することができる。
【００１４】
本発明の第２の態様は、第１の態様に記載の同軸ケーブル用コネクタにおいて、前記コネクタ本体は、先端部側に向かって内径が漸大することを特徴とする同軸ケーブル用コネクタにある。
【００１５】
かかる第２の態様に記載の同軸ケーブル用コネクタでは、より容易に柱上変圧器と同軸ケーブルとを接続することができる。
【００１６】
本発明の第３の態様は、請求項１又は２に記載の同軸ケーブル用コネクタにおいて、前記ナット部材に取付けられて前記コネクタ本体を覆うように前記同軸ケーブル側方向に延設された筒状の絶縁カバーをさらに具備することを特徴とする同軸ケーブル用コネクタにある。
【００１７】
かかる第３の態様に記載の同軸ケーブル用コネクタでは、絶縁体で被覆されていないコネクタ本体を用いることができる。
【００１８】
本発明の第４の態様は、第１〜３の何れかの態様に記載の同軸ケーブル用コネクタにおいて、前記中心導体の先端部が針状に形成されていることを特徴とする同軸ケーブル用コネクタにある。
【００１９】
かかる第４の態様に記載の同軸ケーブル用コネクタでは、接続端子の内部に残存する断線同軸ケーブルの内部導体に中心導体の先端部が押し当てられた際に、断線同軸ケーブルの内部導体と中心導体とを確実に接続することができると共に、断線同軸ケーブルの内部導体と中心導体とのズレを防止することができる。
【００２０】
本発明の第５の態様は、第１〜４の何れかの態様に記載の同軸ケーブル用コネクタが端末に取付けられた同軸ケーブルにある。
【００２１】
かかる第５の態様では、接続端子を介して柱上変圧器と容易に接続することができる同軸ケーブルを提供することができる。
【００２２】
本発明の第６の態様は、第１〜４の何れかの態様に記載の同軸ケーブル用コネクタが端末に取付けられた電線接続用クランプにある。
【００２３】
かかる第６の態様では、接続端子を介して柱上変圧器と容易に接続することができる電線接続用クランプを提供することができる。
【発明の効果】
【００２４】
本発明に係る同軸ケーブル用コネクタによれば、同軸ケーブルの内部導体が断線し、柱上変圧器の接続端子内に断線同軸ケーブルの内部導体の一部が残存している場合において、その接続端子を介して柱上変圧器と同軸ケーブルとを容易に接続することができる。
【発明を実施するための最良の形態】
【００２５】
以下、本発明を実施するための最良の形態について説明する。なお、本実施形態の説明は例示であり、本発明は以下の説明に限定されない。
【００２６】
（実施形態１）
図１は本発明の実施形態１に係る同軸ケーブル用コネクタを示す概略斜視図であり、図２は実施形態１に係る同軸ケーブル用コネクタを用いて同軸ケーブルと柱上変圧器とを接続した際の概略断面図である。図１及び図２に示すように、本実施形態に係る同軸ケーブル用コネクタ１は、同軸ケーブル２５０の内部導体２５１が接続された棒状の中心導体１０を具備している。中心導体１０の先端部には複数の針状の突起からなる針状部１１が形成されており、図２に示すように、接続端子５５０の内部に残存する断線同軸ケーブルの内部導体１１０に中心導体１０の先端部が押し当てられた際に、断線同軸ケーブルの内部導体１１０と中心導体１０とを確実に接続することができると共に、断線同軸ケーブルの内部導体１１０と中心導体１０とのズレを防止することができるようになっている。そして、図１に示すように、中心導体１０は先端部が先端部側に向かって漸大するテーパ円筒状のコネクタ本体２０内に収容されており、外部から中心導体１０に直接接触することができないようになっている。
【００２７】
コネクタ本体２０の先端部には軸方向に複数のスリット２１が設けられており、コネクタ本体２０の先端部の縦方向の径を自在に変化させることができるようになっている。また、コネクタ本体２０の中央部外面にはネジ部２５が設けられており、ナット部材３０と螺合することができるようになっている。さらに、コネクタ本体２０の同軸ケーブル側端部には取付部２２が設けられており、図示しないが、ひも状部材を介して柱上変圧器の上部と接続することにより、同軸ケーブル用コネクタ１を柱上変圧器から吊下して支持することができるようになっている。
【００２８】
ナット部材３０はネジ部２５に螺合することができるようになっており、ナット部材３０によってネジ部２５を締め付けることによって、コネクタ本体２０の先端部の縦方向の径を小さくすることができるようになっている。すなわち、断線同軸ケーブルの内部導体１１０に中心導体１０が接触した状態で、ナット部材３０によってネジ部２５を締め付けることにより、コネクタ本体２０の先端部の縦方向の内径を小さくして、図２に示すようにコネクタ本体２０の先端部で接続端子５５０を圧接し、同軸ケーブル用コネクタ１と接続端子５５０とを接続することができるようになっている。
【００２９】
このように同軸ケーブル用コネクタ１を構成することにより、断線同軸ケーブルの内部導体１１０が断線し、接続端子５５０内に断線同軸ケーブルの内部導体１１０の一部が残存している場合において、その接続端子５５０を介して柱上変圧器５００と同軸ケーブル２５０とを容易に接続することができる。
【００３０】
次に、本実施形態に係る同軸ケーブル用コネクタ１を構成する各構成要素について説明する。まず、中心導体１０は導電性を有するものであれば特に限定されないが、電気抵抗が小さいものが好ましいのはいうまでもない。すなわち、中心導体１０の軸方向垂直断面が円形、三角形、四角形、その他の多角形であろうと特に限定されない。
【００３１】
また、コネクタ本体２０は特に限定されないが、少なくとも表面が絶縁体で形成されたものが好ましく、さらに弾性率が大きいものが好ましい。
【００３２】
さらに、ナット部材３０はコネクタ本体２０のネジ部２５と螺合することができるものであれば特に限定されない。すなわち、ナット部材３０の形状は特に限定されず、三角形、四角形、八角形などの多角形であってもよい。
【００３３】
なお、取付部２２は、ひも状部材を介して柱上変圧器５００の上部と接続することにより、同軸ケーブル用コネクタ１を柱上変圧器５００から吊下して支持することができるものであれば特に限定されない。また、ひも状部材は同軸ケーブル用コネクタ１を柱上変圧器５００から吊下して支持することができるものであれば特に限定されない。さらに、断線同軸ケーブル及び同軸ケーブル２５０は、絶縁体２５２で被覆された内部導体２５１を具備するものであれば特に限定されず、同一規格のものであっても異なる規格のものであってもよい。
【００３４】
（実施形態２）
実施形態１では、上述したように同軸ケーブル用コネクタを構成したが、図３及び図４に示すように構成してもよい。具体的には、実施形態１と同様に構成された同軸ケーブル用コネクタ１Ａのナット部材３０Ａに、コネクタ本体２０Ａを覆うように同軸ケーブル側方向に延設された筒状の絶縁カバー部材４０をさらに具備させてもよい。図３は本発明の実施形態２に係る同軸ケーブル用コネクタを示す概略斜視図であり、図４は実施形態２に係る同軸ケーブル用コネクタを用いて同軸ケーブルと柱上変圧器とを接続した際の概略断面図である。
【００３５】
このように構成することにより、絶縁体で被覆されていないコネクタ本体２０Ａを用いることができる。すなわち、絶縁カバー部材４０を具備することにより、同軸ケーブル用コネクタ１Ａを接続端子５５０（図２参照）に接続した際に、ナット部材３０Ａが先端側に移動しても、絶縁カバー部材４０がコネクタ本体２０Ａを被うことになる。したがって、外部からコネクタ本体２０Ａに接触することができなくなるので、実施形態１で示したような絶縁体２５２で被覆されたコネクタ本体２０で構成した同軸ケーブル用コネクタと同様の効果が得られる。
【００３６】
また、コネクタ本体２０Ａの先端部の内面には、コネクタ本体２０Ａの中心軸に向かう針状の突起２７が形成されており、コネクタ本体２０Ａの先端部と柱上変圧器５００の接続端子とを確実に固定することができると共に、コネクタ本体２０Ａの先端部と接続端子５５０とのズレを防止することができるようになっている。
【００３７】
さらに、本実施形態では、同軸ケーブルの末端部側周囲に絶縁体２５２からなる把持部２５５が設けられており、絶縁カバー部材４０及びナット部材３０Ａを操作し易くすることができるようになっている。なお、その他の構成要素については、実施形態１と同様であるので、同一符号を付して説明を省略する。
【００３８】
（他の実施形態）
実施形態１及び２では、同軸ケーブル用コネクタには同軸ケーブルが接続されているが、本発明はこれに限定されない。例えば、図５に示すように同軸ケーブル用コネクタ１に低圧線接続用のクランプ３００などが接続されてもよい。このように構成しても、実施形態１及び２と同様の効果が得られる。
【００３９】
また、実施形態１及び２のコネクタ本体２０、２０Ａの先端部は、２つのスリットにより上下方向に２つに分割されているが、本発明はこれに限定されない。例えば、コネクタ本体の先端部は、３つのスリットにより、ドリルチャックに用いられているように３つに分割されてもよい。
【００４０】
また、実施形態２では、コネクタ本体２０Ａの内面に突起２７が形成されているが、突起２７に代えて、コネクタ本体２０Ａの内表面にゴム層などを設けてもよい。このように構成しても、同様の効果が得られる。
【図面の簡単な説明】
【００４１】
【図１】実施形態１に係る同軸ケーブル用コネクタの概略斜視図である。
【図２】実施形態１に係る同軸ケーブル用コネクタを用いて同軸ケーブルと柱上変圧器とを接続した際の概略断面図である。
【図３】実施形態２に係る同軸ケーブル用コネクタの概略斜視図である。
【図４】実施形態２に係る同軸ケーブル用コネクタを用いて同軸ケーブルと柱上変圧器とを接続した際の概略断面図である。
【図５】他の実施形態に係る同軸ケーブル用コネクタの概略図である。
【図６】従来の一般的な柱上変圧器の概略斜視図である。
【図７】図６に示す部分Ｘの拡大図である。
【図８】図７に示す低圧線と接続部とが接続されている部分の縦方向の断面図である。
【図９】低圧線の内部導体が断線した際の概略斜視図である。
【図１０】低圧線の内部導体が断線した際の図９に示す低圧線と接続部とが接続されている部分の縦方向の断面図である。
【図１１】応急修理を行なった際の低圧線と柱上変圧器との接続状況を示す概略斜視図である。
【符号の説明】
【００４２】
１、１Ａ  同軸ケーブル用コネクタ
１０  中心導体
１１  針状部
２０、２０Ａ  コネクタ本体
２１  スリット
２２  取付部
２５  ネジ部
２７  突起
３０、３０Ａ  ナット部材
４０  絶縁カバー部材
１１０  内部導体
２５０  同軸ケーブル
２５１  内部導体
２５２  絶縁体
２５５  把持部
【図１】
2007227267.tif 000003
【図２】
2007227267.tif 000004
【図３】
2007227267.tif 000005
【図４】
2007227267.tif 000006
【図５】
2007227267.tif 000007
【図６】
2007227267.tif 000008
【図７】
2007227267.tif 000009
【図８】
2007227267.tif 000010
【図９】
2007227267.tif 000011
【図１０】
2007227267.tif 000012
【図１１】
2007227267.tif 000013